(57)【要約】 【課題】本発明は、タッチパネル式の機器を操作する際に用いるスタイラスに関する発明である。【解決手段】本発明は、上端中央に突起を形成し下部には中央外周面に突条を形成した連結部を連結したテーパー部からなる先端部と、上部が前方に向かって大きく湾曲して頭部及び凹部を形成し下部は腹部より背面部の方が長く底部が傾斜した内部が中空で上端に開口部を形成したキャップ部とからなり、前記先端部を開口部に嵌着して連結したことを特徴とするスタイラスと、背面側下部にリングを垂設し、上端正面側に突出部を形成したハート型の本体からなり、ハート型本体の両端がリングよりも左右に張り出したことを特徴とするリング型スタイラスの構成とした。【選択図】  図１
2009087227.tif 000002
【特許請求の範囲】
【請求項１】
上端中央に突起を形成し下部には中央外周面に突条を形成した連結部を連結したテーパー部からなる先端部と、上部が前方に向かって大きく湾曲して頭部及び凹部を形成し下部は腹部より背面部の方が長く底部が傾斜した内部が中空で上端に開口部を形成したキャップ部とからなり、前記先端部を開口部に嵌着したことを特徴とするスタイラス。
【請求項２】
腹部と背面部が同じ長さで底部が平坦であるキャップ部とからなることを特徴とする請求項１に記載のスタイラス。
【請求項３】
上部が前方に向かって大きく湾曲してヘルメットを形成し目とヒゲを描いた頭部及び凹部を形成し下部は前足を形成した腹部よりスコップを形成した背面部の方が長く底部が傾斜した内部が中空で上端に開口部を形成したモグラ形状のキャップ部とからなることを特徴とする請求項１に記載のスタイラス。
【請求項４】
上部が前方に向かって大きく湾曲して２つの耳を形成し目を描いた頭部及び凹部を形成し下部は前足を形成した腹部より尻尾を形成した背面部の方が長く底部が傾斜した内部が中空で上端に開口部を形成したネコ形状のキャップ部とからなることを特徴とする請求項１に記載のスタイラス。
【請求項５】
上部が前方に向かって大きく湾曲して左右に耳を形成し目を描いた頭部及び凹部を形成し下部は前足を形成した腹部より尻尾を形成した背面部の方が長く底部が傾斜した内部が中空で上端に開口部を形成したイヌ形状のキャップ部とからなることを特徴とする請求項１に記載のスタイラス。
【請求項６】
上部が前方に向かって大きく湾曲して窓を形成した頭部及び凹部を形成し下部は車輪を形成した腹部よりドアや窓を描いた背面部の方が長く底部が傾斜した内部が中空で上端に開口部を形成した新幹線形状のキャップ部とからなることを特徴とする請求項１に記載のスタイラス。
【請求項７】
上部が前方に向かって大きく湾曲して先端近くにライトを形成した頭部及び凹部を形成し下部はタイヤを形成した腹部よりドアやサイレンを形成した背面部の方が長く底部が傾斜した内部が中空で上端に開口部を形成した救急車形状のキャップ部とからなることを特徴とする請求項１に記載のスタイラス。
【請求項８】
上部が前方に向かって大きく湾曲して頭部及び凹部を形成し下部は腹部より窓を描き羽根を形成した背面部の方が長く底部が傾斜した内部が中空で上端に口部を形成したロケット形状のキャップ部とからなることを特徴とする請求項１に記載のスタイラス。
【請求項９】
上部が前方に向かって大きく湾曲して頭部及び凹部を形成し下部は孔を穿設した腹部と背面部が同じ長さで底部が平坦となり内部は中空で上端に開口部を形成したキャップ部とからなることを特徴とする請求項１に記載のスタイラス。
【請求項１０】
背面側下部にリングを垂設し、上端正面側に突出部を形成したハート型の本体からなり、ハート型本体の両端がリングよりも左右に張り出したことを特徴とするリング型スタイラス。
【請求項１１】
ハート型の本体と前記本体の両端から後方に向かって垂直に伸びて形成されたリングと前記本体の上端正面側に形成された突出部とからなることを特徴とするリング型スタイラス。
【発明の詳細な説明】
【技術分野】
【０００１】
本発明は、タッチパネル式の機器を操作する際に用いるスタイラスに関する発明である。
【背景技術】
【０００２】
従来、タッチパネル式の機器を操作する際に用いられてたスタイラスは、特許文献１に示すようにペン型をしたものであった。
【０００３】
しかしながら、従来のペン型のスタイラスでは、スタイラス自体をペンのように握ってタッチパネルを操作するためタッチパネル式機器の他のボタン等を操作する際には、スタイラスを置くか他の指に挟んだ状態で操作しなければならず、タッチパネル機器の操作がし難かった。
【０００４】
また、従来のスタイラスは使用しない場合にタッチパネル機器に直接収納することができるように小型化されていることが多く、スタイラス自体が使用し難く、更に紛失しやすかった。
【０００５】
更に、特許文献２に示すように短くしたスタイラスにリングを取り付けたスタイラスペンが発明されているが、指の上面にスタイラスが取り付けられているためタッチパネルの操作がし難く、また爪を伸ばして装飾を施している女性にとってはスタイラス部分と爪が直接接触するため利用しにくいものであった。
【特許文献１】特開２００２−１４９３２６号公報
【特許文献２】特開平７−２６１９２５号公報
【発明の開示】
【発明が解決しようとする課題】
【０００６】
そこで、本発明は、タッチパネル機器の操作がし易く、紛失する心配がなく、更にあらゆる人の手に合うスタイラス及びリング型スタイラスを提供することを目的とするものである。
【課題を解決するための手段】
【０００７】
本発明は、上記の課題を解決するために、上端中央に突起４ａを形成し下部には中央外周面に突条４ｄを形成した連結部４ｅを連結したテーパー部４ｂからなる先端部４と、上部が前方に向かって大きく湾曲して頭部５ａ及び凹部５ｃを形成し下部は腹部５ｄより背面部５ｂの方が長く底部５ｅが傾斜した内部が中空５ｆで上端に開口部５ｇを形成したキャップ部５とからなり、前記先端部４を開口部５ｇに嵌着して連結したことを特徴とするスタイラス１と、背面側下部にリング２ａを垂設し、上端正面側に突出部２ｃを形成したハート型の本体２ｂからなり、ハート型本体２ｂの両端がリング２ａよりも左右に張り出したことを特徴とするリング型スタイラス２の構成とした。
【発明の効果】
【０００８】
本発明のスタイラス及びリング型スタイラスは指に直接取り付けるため、タッチパネルの操作がし易く、タッチパネル機器のパネル以外のボタン操作についてもスタイラスを取り外すことなく操作することができる。
【０００９】
また、リング型スタイラスはタッチパネルに接触する突出部が指の内側に設けられているため爪の長い人や爪に装飾をしている女性であっても違和感なく使用することができる。更に、手（指）の不自由な方にとっては、従来のスタイラスを握った状態で動かすことが非常に困難であったが、本発明のスタイラスはスタイラス自体を指に直接取り付けるため、握る必要がなく従来よりも容易に操作することができる。
【発明を実施するための最良の形態】
【００１０】
従来よりも操作性を向上させ、スタイラスを使用した状態でも他の操作をすることができるスタイラス及びリング型スタイラスという目的を、スタイラス自体を指に装着できる構造とすることによって実現した。
【実施例１】
【００１１】
図１は本発明であるスタイラスの正面図、左側面図及びＡ−Ａ線断面図、図２はスタイラスを構成する先端部の正面図及び斜視図である。
【００１２】
図１に示すように、本発明であるスタイラス１は、上端中央に突起４ａを形成し下部には中央外周面に突条４ｄを形成した連結部４ｅを連結したテーパー部４ｂからなる先端部４と、上部が前方に向かって大きく湾曲して頭部５ａ及び凹部５ｃを形成し下部は腹部５ｄより背面部５ｂの方が長く底部５ｅが傾斜した内部が中空５ｆで上端に開口部５ｇを形成したキャップ部５とからなり、前記先端部４を開口部５ｇに嵌着して連結している。
【００１３】
前記キャップ部５は中空５ｆで上端は開口部５ｇを形成しており、前記開口部５ｇと中空５ｆの間の内壁面には嵌入溝５ｈが形成されている。
【００１４】
前記先端部４のテーパー部４ｂ上端に設けられた突起４ａは先端が丸みを帯びた形状をしており、テーパー部４ｂの下端に設けられた連結部４ｅの中央外周面には突条４ｄが形成されている。そのため、テーパー部４ｂの下端と前記突条４ｄの間は凹部４ｃとなっている。
【００１５】
キャップ部５の開口部５ｇに先端部４の連結部４ｅを嵌着した状態では、前記嵌入溝５ｈに突条４ｄが嵌着し、開口部５ｇの内壁面が凹部４ｃに接触した状態となっている。
【００１６】
尚、キャップ部５は軟性の部材で実施されることが予想され先端部４と容易に分離する可能性が高いが、実施の際は先端部４とキャップ部５の連結を粘着性の高い接着剤等を使用して連結力を強め容易には分離できないようにする。
【実施例２】
【００１７】
図３は本発明であるスタイラスの第２実施例の正面図、左側面図及びＢ−Ｂ線断面図である。
【００１８】
図３に示すように、本発明であるスタイラス１ａは、前記実施例１に示したスタイラス１とほぼ同じ構造をしている。即ち、本発明であるスタイラス１ａは、上端中央に突起４ａを形成し下部には中央外周面に突条４ｄを形成した連結部４ｅを連結したテーパー部４ｂからなる先端部４と、上部が前方に向かって大きく湾曲して頭部５ａ及び凹部５ｃを形成し下部は腹部５ｄと背面部５ｂが同じ長さで底部５ｅが平坦となり内部は中空５ｆで上端に開口部５ｇを形成したキャップ部５とからなり、前記先端部４を開口部５ｇに嵌着して連結している。
【００１９】
第２実施例であるスタイラス１ａと第１実施例のスタイラス１の違いは、背面部５ｂと腹部５ｄの長さが同じか否かとそれに伴って底部５ｅが平坦であるか傾斜しているかである。
【実施例３】
【００２０】
図４は本発明であるスタイラスの第３実施例の正面図、左側面図及び背面図である。図４に示すように、本発明であるスタイラス１ｂは、前記実施例１のスタイラス１と基本的にほぼ同じ構造をしており、外観がモグラの形状をしている。
【００２１】
即ち、スタイラス１ｂは、上端中央に突起４ａを形成し下部には中央外周面に突条４ｄを形成した連結部４ｅを連結したテーパー部４ｂからなる先端部４と、
上部が前方に向かって大きく湾曲してヘルメット６を形成し目６ｃとヒゲ６ｄを描いた頭部５ａ及び凹部５ｃを形成し下部は前足６ｂを形成した腹部５ｄよりスコップ６ａを形成した背面部５ｂの方が長く底部５ｅが傾斜した内部が中空５ｆで上端に開口部５ｇを形成したモグラ形状のキャップ部５とからなり、前記先端部４を開口部５ｇに嵌着して連結している。
【００２２】
尚、前記ヘルメット６から凹部５ｃにかけて形成されている符号６ｅはヘルメットの紐を表している。
【実施例４】
【００２３】
図５は本発明であるスタイラスの第４実施例の正面図、左側面図及び背面図である。図５に示すように、本発明であるスタイラス１ｃは、前記実施例１のスタイラス１と基本的にほぼ同じ構造をしており、外観がネコの形状をしている。
【００２４】
即ち、スタイラス１ｃは、上端中央に突起４ａを形成し下部には中央外周面に突条４ｄを形成した連結部４ｅを連結したテーパー部４ｂからなる先端部４と、
上部が前方に向かって大きく湾曲して２つの耳７、７を形成し目７ａを描いた頭部５ａ及び凹部５ｃを形成し下部は前足７ｃを形成した腹部５ｄより尻尾７ｄを形成した背面部５ｂの方が長く底部５ｅが傾斜した内部が中空５ｆで上端に開口部５ｇを形成したネコ形状のキャップ部５とからなり、前記先端部４を開口部５ｇに嵌着して連結している。
【００２５】
尚、ネコの首の部分にあたる前記頭部５ａから凹部５ｃにはリボン７ｅと鈴７ｆを取り付けた首輪７ｂが形成されており、頭部５ａ側にリボン７ｅ、凹部５ｃ側に鈴７ｆが形成されている。
【実施例５】
【００２６】
図６は本発明であるスタイラスの第５実施例の正面図、左側面図及び背面図である。図６に示すように、本発明であるスタイラス１ｄは、前記実施例１のスタイラス１と基本的にほぼ同じ構造をしており、外観がイヌの形状をしている。
【００２７】
即ち、スタイラス１ｄは、上端中央に突起４ａを形成し下部には中央外周面に突条４ｄを形成した連結部４ｅを連結したテーパー部４ｂからなる先端部４と、
上部が前方に向かって大きく湾曲して左右に耳８、８を形成し目８ａを描いた頭部５ａ及び凹部５ｃを形成し下部は前足８ｄを形成した腹部５ｄより尻尾８ｅを形成した背面部５ｂの方が長く底部５ｅが傾斜した内部が中空５ｆで上端に開口部５ｇを形成したイヌ形状のキャップ部５とからなり、前記先端部４を開口部５ｇに嵌着して連結している。
【００２８】
尚、イヌの首の部分にあたる前記頭部５ａから凹部５ｃには首輪８ｂが形成されており、凹部５ｃ側に首輪８ｂのバックル８ｃが形成されている。
【実施例６】
【００２９】
図７は本発明であるスタイラスの第６実施例の左側面図である。図７に示すように、本発明であるスタイラス１ｅは、前記実施例１のスタイラス１と基本的にはほぼ同じ構造をしており、外観が新幹線の形状をしている。
【００３０】
即ち、スタイラス１ｅは、上端中央に突起４ａを形成し下部には中央外周面に突条４ｄを形成した連結部４ｅを連結したテーパー部４ｂからなる先端部４と、
上部が前方に向かって大きく湾曲して窓９を形成した頭部５ａ及び凹部５ｃを形成し下部は車輪９ａ、９ａを形成した腹部５ｄよりドア９ｂや窓９ｃを描いた背面部５ｂの方が長く底部５ｅが傾斜した内部が中空５ｆで上端に開口部５ｇを形成した新幹線形状のキャップ部５とからなり、前記先端部４を開口部５ｇに嵌着して連結している。
【実施例７】
【００３１】
図８は本発明であるスタイラスの第７実施例の左側面図である。図８に示すように、本発明であるスタイラス１ｆは、前記実施例１のスタイラス１と基本的にはほぼ同じ構造をしており、外観が救急車の形状をしている。
【００３２】
即ち、スタイラス１ｆは、上端中央に突起４ａを形成し下部には中央外周面に突条４ｄを形成した連結部４ｅを連結したテーパー部４ｂからなる先端部４と、
上部が前方に向かって大きく湾曲して先端近くにライト１０ｃを形成した頭部５ａ及び凹部５ｃを形成し下部はタイヤ１０ａ、１０ａを形成した腹部５ｄよりドア１０ｂやサイレン１０を形成した背面部５ｂの方が長く底部５ｅが傾斜した内部が中空５ｆで上端に開口部５ｇを形成した救急車形状のキャップ部５とからなり、前記先端部４を開口部５ｇに嵌着して連結している。
【実施例８】
【００３３】
図９は本発明であるスタイラスの第８実施例の正面図及び左側面図である。図９に示すように、本発明であるスタイラス１ｇは、前記実施例１のスタイラス１と基本的にはほぼ同じ構造をしており、外観がロケットの形状をしている。
【００３４】
即ち、スタイラス１ｇは、上端中央に突起４ａを形成し下部には中央外周面に突条４ｄを形成した連結部４ｅを連結したテーパー部４ｂからなる先端部４と、
上部が前方に向かって大きく湾曲して頭部５ａ及び凹部５ｃを形成し下部は腹部５ｄより窓１１ａを描き羽根１１を形成した背面部５ｂの方が長く底部５ｅが傾斜した内部が中空５ｆで上端に口部５ｇを形成したロケット形状のキャップ部５とからなり、前記先端部４を開口部５ｇに嵌着して連結している。
【実施例９】
【００３５】
図１０は本発明であるスタイラスの第９実施例の正面図及びＣ−Ｃ線断面図である。  
【００３６】
図１０に示すように、本発明であるスタイラス１ｈは、上端中央に突起４ａを形成し下部には中央外周面に突条４ｄを形成した連結部４ｅを連結したテーパー部４ｂからなる先端部４と、
上部が前方に向かって大きく湾曲して頭部５ａ及び凹部５ｃを形成し下部は孔５ｉを穿設した腹部５ｄと背面部５ｂが同じ長さで底部５ｅが平坦となり内部は中空５ｆで上端に開口部５ｇを形成したキャップ部５とからなり、前記先端部４を開口部５ｇに嵌着して連結している。
【００３７】
図１０の第９実施例においては、腹部５ｄに穿設した孔５ｉをハート型としたが、この孔５ｉの形状については、特に限定したものではなく円形や角形の他動物の足形などとしてもよい。
【００３８】
尚、本発明であるスタイラス１〜１ｈの外形は上記のものに限定したわけではなく、外形を他の動物の形状や乗物等にすることも可能である。
【実施例１０】
【００３９】
図１１は本発明であるリング型スタイラスの平面図、正面図、底面図、右側面図及びＤ−Ｄ線断面図である。
【００４０】
図１１に示すように、本発明であるリング型スタイラス２は、背面側下部にリング２ａを垂設し、上端正面側に突出部２ｃを形成したハート型の本体２ｂからなり、ハート型本体２ｂの両端がリング２ａよりも左右に張り出している。
【００４１】
図１１の底面図及びＤ−Ｄ線断面図に示すように、リング２ａは本体２ｂの背面側下部に垂設されており、リング２ａに指先（第一関節程度）を挿通し指の腹（指紋側）が本体２ｂの背面に当たる状態で使用する。このように使用することで爪の長い方や爪に装飾を施している女性であっても爪を気にすることなくスタイラスを使用することができる。尚、符号２ｄは装飾を示しており、前記リング２ａの外周面に取り付けられている。この装飾２ｄについては、取り付けなくてもよいものとする。
【実施例１１】
【００４２】
図１２は本発明であるリング型スタイラスの第２実施例の正面図、平面図、右側面図及びＥ−Ｅ線断面図である。
【００４３】
図１２に示すように、本発明であるリング型スタイラス３は、ハート型の本体３ｂと前記本体３ｂの両端から後方に向かって垂直に伸びて形成されたリング３ａと前記本体３ｂの上端正面側に形成された突出部３ｃとからなる。
【００４４】
前記本体３ｂとリング３ａは一体となっており平面から見た場合に綺麗なリング状をしている。また、リング３ａの正面側半分は本体３ｂで形成されているため正面より見た場合にリング型スタイラス２よりも縦長のハート型となっている。
【００４５】
リング型スタイラス３についても、前記リング型スタイラス２と同様な使用方法である。即ち、リング３ａに指先（第一関節程度）を挿通し指の腹（指紋側）が本体３ｂの背面に当たる状態で使用する。このように使用することで爪の長い方や爪に装飾を施している女性であっても爪を気にすることなくスタイラスを使用することができる。尚、符号３ｄは装飾を示しており、前記リング３ａの外周面に取り付けられている。この装飾３ｄについては、取り付けなくてもよいものとする。
【図面の簡単な説明】
【００４６】
【図１】本発明であるスタイラスの正面図、左側面図及びＡ−Ａ線断面図である。
【図２】本発明であるスタイラスを構成する先端部の正面図及び斜視図である。
【図３】本発明であるスタイラスの第２実施例の正面図、左側面図及びＢ−Ｂ線断面図である。
【図４】本発明であるスタイラスの第３実施例の正面図、左側面図及び背面図である。
【図５】本発明であるスタイラスの第４実施例の正面図、左側面図及び背面図である。
【図６】本発明であるスタイラスの第５実施例の正面図、左側面図及び背面図である。
【図７】本発明であるスタイラスの第６実施例の左側面図である。
【図８】本発明であるスタイラスの第７実施例の左側面図である。
【図９】本発明であるスタイラスの第８実施例の正面図及び左側面図である。
【図１０】本発明であるスタイラスの第９実施例の正面図及びＣ−Ｃ線断面図である。
【図１１】本発明であるリング型スタイラスの平面図、正面図、底面図、右側面図及びＤ−Ｄ線断面図である。
【図１２】本発明であるリング型スタイラスの第２実施例の正面図、平面図、右側面図及びＥ−Ｅ線断面図である。
【符号の説明】
【００４７】
１      スタイラス
１ａ    スタイラス
１ｂ    スタイラス
１ｃ    スタイラス
１ｄ    スタイラス
１ｅ    スタイラス
１ｆ    スタイラス
１ｇ    スタイラス
１ｈ    スタイラス
２      リング型スタイラス
２ａ    リング
２ｂ    本体
２ｃ    突出部
２ｄ    装飾
３      リング型スタイラス
３ａ    リング
３ｂ    本体
３ｃ    突出部
３ｄ    装飾
４      先端部
４ａ    突起
４ｂ    テーパー部
４ｃ    凹部
４ｄ    突条
４ｅ    連結部
５      キャップ部
５ａ    頭部
５ｂ    背面部
５ｃ    凹部
５ｄ    腹部
５ｅ    底部
５ｆ    中空
５ｇ    開口部
５ｈ    嵌入溝
５ｉ    孔
６      ヘルメット
６ａ    スコップ
６ｂ    前足
６ｃ    目
６ｄ    ヒゲ
６ｅ    紐
７      耳
７ａ    目
７ｂ    首輪
７ｃ    前足
７ｄ    尻尾
７ｅ    リボン
７ｆ    鈴
８      耳
８ａ    目
８ｂ    首輪
８ｃ    バックル
８ｄ    前足
８ｅ    尻尾
９      窓
９ａ    車輪
９ｂ    ドア
９ｃ    窓
１０      サイレン
１０ａ    タイヤ
１０ｂ    ドア
１０ｃ    ライト
１１      羽
１１ａ    窓
【図１】
2009087227.tif 000003
【図２】
2009087227.tif 000004
【図３】
2009087227.tif 000005
【図４】
2009087227.tif 000006
【図５】
2009087227.tif 000007
【図６】
2009087227.tif 000008
【図７】
2009087227.tif 000009
【図８】
2009087227.tif 000010
【図９】
2009087227.tif 000011
【図１０】
2009087227.tif 000012
【図１１】
2009087227.tif 000013
【図１２】
2009087227.tif 000014